(57)【要約】【課題】用紙を１枚ずつ送り出す給紙ユニットのメンテナンスを容易にする。【解決手段】用紙を搬送する搬送手段、吸引口を有するダクト及び該ダクトを介して空気を吸引するファンを一体なユニットに形成し、装置本体に対して着脱可能にする。【選択図】図４
2009107731.tif 000002
【特許請求の範囲】
【請求項１】
積載された用紙から１枚ずつ吸引し搬送する給紙装置であって、給紙装置本体に対して着脱可能な給紙ユニットを有する給紙装置において、
前記給紙ユニットは、用紙を吸引する吸気口が形成されたダクト、吸引された用紙を搬送する搬送手段及び前記ダクトを介して空気を吸引するファンを有し、これらが一体に着脱可能であることを特徴とする給紙装置。
【請求項２】
前記給紙ユニットの着脱用の案内手段を有することを特徴とする請求項１に記載の給紙装置。
【請求項３】
前記搬送手段は、ベルト及び該ベルトが張架されたローラからなるベルトローラユニットを有することを特徴とする請求項１又は請求項２に記載の給紙装置。
【請求項４】
前記ダクトは搬送幅方向に長く形成されたことを特徴とする請求項１〜３のいずれか１項に記載の給紙装置。
【請求項５】
前記給紙ユニットは、前記給紙ユニットを電気的に本体回路に着脱するコネクタを有することを特徴とする請求項１〜３のいずれか１項に記載の給紙装置。
【請求項６】
用紙が積載される着脱可能な用紙収納手段を有し、
前記給紙ユニットは、前記用紙収納手段が取り出された後に装置本体から取り出し可能であることを特徴とする請求項１〜５のいずれか１項に記載の給紙装置。
【請求項７】
用紙が積載される着脱可能な用紙収納手段を有し、
前記給紙ユニットは、前記用紙収納手段と一体に装置本体から取り出し可能であることを特徴とする請求項１〜５のいずれか１項に記載の給紙装置。
【請求項８】
前記給紙ユニットは、装置本体から取り出された後に前記用紙収納手段から切り離し可能であることを特徴とする請求項７に記載の給紙装置。
【請求項９】
請求項１〜８のいずれか１項に記載の給紙装置及び用紙に画像を形成する画像形成部を有することを特徴とする画像形成装置。
【発明の詳細な説明】
【技術分野】
【０００１】
本発明は、積載された用紙から用紙を１枚ずつ搬送する給紙装置及び用紙に画像を形成する画像形成装置に関する。
【背景技術】
【０００２】
電子写真画像形成装置、インクジェット画像形成装置等の画像形成装置では、用紙としてカットシートが用いられ、積載された多数枚の用紙から用紙を１枚ずつ分離して搬送し、画像を形成することが一般に行われている。
【０００３】
積載された用紙から１枚の用紙を分離し搬送する給紙装置としては、摩擦力を利用した摩擦分離方式と、一番上の用紙を吸引し分離するサクション分離方式とがある。
【０００４】
これら２方式は、給紙装置の使用目的等に応じて使い分けられる。
【０００５】
また、給紙装置は、一般に、装置本体に対して着脱可能に構成され、本体から取り出しで用紙の補給が行われる。
【０００６】
更に、給紙装置のメンテナンスを目的として、給紙ユニットが本体から取り出し可能に構成されているものがある。
【０００７】
特許文献１では、２種類の長孔を設けて、用紙を１枚に分離する吸引手段を本体から容易に取り出し可能にすることが提案されている。
【特許文献１】特開２００１−２８７８４３号公報
【発明の開示】
【発明が解決しようとする課題】
【０００８】
特許文献１では、吸引手段から空気を吸引するファン及び吸引手段とファンとを連結するダクトは、本体側に設けられており、給紙装置を本体から取り出すときに、給紙装置をファン及びダクトから切り離す必要がる。
【０００９】
この切り離し作業があるために、給紙装置の取り出しが容易でなく、給紙装置のメンテナンスに時間を要することになる。
【００１０】
特に、給紙装置とダクトとの連結部は、多くの場合、装置の裏側に配置されることが多く、メンテナンス時に装置の裏側での作業となって、狭い空間での作業が強いられる結果となり、メンテナンスの作業性が著しく悪くなる。
【００１１】
本発明は、サクション分離方式の給紙装置における前記に説明した従来技術における問題を解決し、メンテナンスが容易であり、メンテナンスコストを引き下げることが可能な給紙装置及び給紙装置を備えた画像形成装置を提供することを目的とする。
【課題を解決するための手段】
【００１２】
上記目的は、下記の発明により達成される。
１．
積載された用紙から１枚ずつ吸引し搬送する給紙装置であって、給紙装置本体に対して着脱可能な給紙ユニットを有する給紙装置において、
前記給紙ユニットは、用紙を吸引する吸気口が形成されたダクト、吸引された用紙を搬送する搬送手段及び前記ダクトを介して空気を吸引するファンを有し、これらが一体に着脱可能であることを特徴とする給紙装置。
２．
前記給紙ユニットの着脱用の案内手段を有することを特徴とする前記１に記載の給紙装置。
３．
前記搬送手段は、ベルト及び該ベルトが張架されたローラからなるベルトローラユニットを有することを特徴とする前記１又は前記２に記載の給紙装置。
４．
前記ダクトは搬送幅方向に長く形成されたことを特徴とする前記１〜３のいずれか１項に記載の給紙装置。
５．
前記給紙ユニットは、前記給紙ユニットを電気的に本体回路に着脱するコネクタを有することを特徴とする前記１〜３のいずれか１項に記載の給紙装置。
６．
用紙が積載される着脱可能な用紙収納手段を有し、
前記給紙ユニットは、前記用紙収納手段が取り出された後に装置本体から取り出し可能であることを特徴とする前記１〜５のいずれか１項に記載の給紙装置。
７．
用紙が積載される着脱可能な用紙収納手段を有し、
前記給紙ユニットは、前記用紙収納手段と一体に装置本体から取り出し可能であることを特徴とする前記１〜５のいずれか１項に記載の給紙装置。
８．
前記給紙ユニットは、装置本体から取り出された後に前記用紙収納手段から切り離し可能であることを特徴とする前記７に記載の給紙装置。
９．
前記１〜８のいずれか１項に記載の給紙装置及び用紙に画像を形成する画像形成部を有することを特徴とする画像形成装置。
【発明の効果】
【００１３】
本発明によれば、給紙ユニットを取り出し可能にし、該給紙ユニットに搬送手段、吸引口を有するダクト及びファンを設けたので、給紙ユニットの取り出し操作のみで給紙ユニットを取り出すことが可能となり、ダクトの切り離しのような給紙ユニットの取り出しに必要であった付随操作が無くなり、給紙ユニットを装置本体から取り出して行われるメンテナンスの操作性が格段に向上した。
【発明を実施するための最良の形態】
【００１４】
以下、本発明の実施の形態により本発明を説明するが、本発明は該実施の形態に限られない。
＜画像形成装置＞
図１は本発明の実施の形態に係る画像形成装置の全体構成を示す図である。
【００１５】
本実施の形態の複写機は、複写機本体の上部に自動原稿送り装置１を設けるとともに、複写機本体内に画像読取装置２、画像形成手段３、給紙装置５及び排紙・再給紙手段６を有している。
【００１６】
自動原稿送り装置１は、複写機本体の上部に設けられ、原稿を一枚ずつ送り出し、原稿の画像読取位置へと搬送し、画像読取が終わった原稿を排紙する装置である。自動原稿送り装置１は、原稿を載置する原稿載置台１１、原稿載置台１１上に載置された原稿を分離する原稿分離手段１２、原稿分離手段１２で分離された原稿を搬送する原稿搬送手段１３、原稿搬送手段１３で搬送された原稿を排紙する原稿排紙手段１４、原稿排紙手段１４によって排紙された原稿を受け止め、載置する原稿排紙台１５、および、原稿の両面の画像を読み取る際に原稿の表裏を反転させるための原稿反転手段１６を有している。
【００１７】
原稿載置台１１上に載置された複数枚の原稿は、原稿分離手段１２によって分離され、１枚ずつ搬送される。原稿分離手段１２によって分離・搬送された原稿は、原稿搬送手段１３で搬送され、下方に設けられた画像読取装置２により、スリット２１を通して原稿の画像が読み取られる。画像が読み取られた原稿は、原稿排紙手段１４によって、原稿排紙台１５上へと排紙される。
【００１８】
原稿の両面の画像を読み取る際には、画像が読み取られた原稿は、原稿反転手段１６によって原稿の表裏が反転されて、再度、原稿搬送手段１３によって搬送され、画像読取手段によって、スリット２１を通して、原稿の裏面の画像が読み取られる。裏面読取後の原稿は、原稿排紙手段１４によって、原稿排紙台１５上へと排紙される。このような工程を、原稿載置台１１上に載置された原稿の枚数分繰り返され、原稿の画像が読み取られる。
【００１９】
また、自動原稿送り装置１は、一体に可倒式に構成されており、この自動原稿送り装置１を起こしてプラテンガラス２２上を開放することにより、プラテンガラス２２上に原稿を直接載置することができるように構成している。なお、本実施の形態では、原稿搬送手段１３によって原稿を搬送しながら、原稿の画像を読み取るように構成しているが、原稿搬送手段１３によって搬送された原稿をプラテンガラス上に静止させた上で画像を読み取るように構成してもよい。
【００２０】
画像読取装置２は、原稿の画像を読み取り画像データを得る手段であり、複写機本体内の上部に設けられている。この画像読取装置２は、画像読取用のスリット状の開口部であるスリット２１、原稿を直接載置（静置）するための原稿台であるプラテンガラス２２、原稿に光照射する光源であるランプ２３１と原稿からの反射光を反射させる第１ミラー２３２とを一体化している第１ミラーユニット２３、第１ミラー２３２からの光を反射させる第２ミラー２４１と第３ミラー２４２とを一体化したＶミラーユニット２４と、スリット２１上或いはプラテンガラス２２上の原稿からの反射光を後述のＣＣＤ２６に結像させる結像手段である結像レンズ２５、および、結像レンズ２５によって結像された光像を光電変換して画像情報を得る画像読取手段であるライン状のＣＣＤ２６を有している。
【００２１】
自動原稿送り装置１によって送られている原稿を、画像読取装置２で読み取る際は、第１ミラーユニット２３及びＶミラーユニット２４は、図１において左方に移動し、第１ミラーユニット２３がスリット２１の下方に位置している。そして、原稿搬送手段１３によってスリット２１上方を搬送されている原稿を、ランプ２３１で光照射し、原稿から反射した光は、第１ミラー２３２、第２ミラー２４１、第３ミラー２４２、結像レンズ２５を介して、ＣＣＤ２６に入射する。ＣＣＤ２６は、入射した光を光電変換して、画像信号を出力する。
【００２２】
また、プラテンガラス２２上に原稿が直接載置された場合は、第１ミラーユニット２３とＶミラーユニット２４とを、プラテンガラスに沿って、図１において右方向に移動させることにより原稿の画像が読み取られる。
【００２３】
画像形成手段３は、画像読取手段２で得た画像データに基づいて所定のプロセススピードで搬送されている記録材である用紙上に画像形成する手段である。本実施の形態の画像形成手段３は、電子写真プロセスを用いて画像を形成するものである。画像形成手段３は、光導電性感光層を有しトナー像を担持する像担持体である感光体ドラム３１と、感光体ドラム３１を一様帯電させる帯電器３２、画像信号から得られた画像情報に基づいて、感光体ドラム３１上を露光して潜像を形成する露光手段であるレーザー書込系３３、感光体ドラム３１上の潜像を現像してトナー像を形成する現像器３４、感光体ドラム３１上に担持されたトナー像を、用紙Ｓ上に転写する転写器３５、トナー像が転写された用紙Ｓを感光体ドラム３１上から分離する分離器３６、転写された後に感光体ドラム３１上に残留したトナーを除去するクリーニング手段３７、用紙上のトナー像を定着する定着手段３８を有している。そして、感光体ドラム３１の周囲に、帯電器３２、レーザー書込系３３、現像器３４、転写器３５、分離器３６、クリーニング手段３７が配置されている。
【００２４】
感光体ドラム３１は、図示しない駆動手段によって、時計方向に回転し、帯電器３２による一様帯電、後述するレジストローラ５６から送り出された用紙Ｓの先端に同期せしめて露光が開始されたレーザー書込系３３による潜像形成、現像器３４による現像がなされて、画像情報に基づいたトナー像が形成される。形成されたトナー像は、転写器３５によって、別途搬送されている用紙上に転写される。トナー像が転写された用紙Ｓは、分離器３６によって感光体ドラム３１上から分離され、定着手段３８へと搬送され、そこで、加熱、加圧作用により、トナー像が用紙Ｓに定着される。一方、トナー像が用紙Ｓへ転写された感光体ドラム３１は、さらに回転を続け、クリーニング手段３７によって、感光体ドラム３１上に残留したトナーが除去され、次の画像形成へと供される。
【００２５】
なお、本実施の形態では、感光体ドラム３１とレジストローラ５６との間の感光体ドラム３１近傍に、レジストローラ５６から送り出された用紙を搬送する転写前搬送ローラ３９が設けられており、用紙の搬送力アップに寄与させている。また、分離器３６と定着手段３８との間には、分離器３６によって分離された用紙を搬送するために、用紙の下面側（画像形成された側とは反対側）を支持し、搬送する搬送ローラ（符号なし）及びベルト（符号なし）を設けている。
【００２６】
給紙装置５は用紙収納手段４、後に説明する給紙ユニット１００及び中間搬送ローラを有する。用紙収納手段４には、複数枚の用紙Ｓが積載される。本実施の形態では、用紙収納手段４として複数、すなわち、第１用紙収納手段４Ａ、第２用紙収納手段４Ｂ、第３用紙収納手段４Ｃ有しており、これら用紙収納手段４Ａ〜４Ｃを、画像形成手段３の下方に多段配置している。これら用紙収納手段４Ａ〜４Ｃに収納される用紙としては、普通紙や再生紙などの紙の他に、ＯＨＰシートなど種々の媒体がある。
【００２７】
排紙・再給紙手段６は、給紙装置５から搬送された用紙Ｓ排紙或いは再給紙するための手段である。この排紙・再給紙手段６は、定着処理された用紙Ｓを定着手段３８から排出する定着排出ローラ６１、定着排出ローラ６１により排出された用紙Ｓをそのまま機外へ排出する場合と表裏反転させた後排出する或いは裏面に画像形成するために再給紙する場合とで搬送路を切り替える切替手段６２、用紙Ｓを機外に排出するための排紙ローラ６３、複写機の側面に設けられ排紙ローラ６３により排出された用紙Ｓを積載する排紙トレイ６４、再給紙される用紙Ｓの表裏を反転させる反転手段６５、及び、反転手段６５で反転された用紙Ｓを画像形成手段３へと再給紙する再給紙手段６６を有している。
【００２８】
画像形成された用紙Ｓをそのまま、すなわち、画像形成された面を上側にして排出する場合は、切替手段６２を図１において一転鎖線で示す位置に位置させ、定着排出ローラ６１、排紙ローラ６３によって、機外の排紙トレイ６４へと排出する。また、画像形成された用紙Ｓの表裏を反転させて排紙、すなわち、画像形成された面を下側にして排出する場合は、切替手段６２を図１において実線で示す位置に位置させ、定着排出ローラ６１により搬送される用紙Ｓを、一旦、反転手段６５の方向へ搬送し、用紙Ｓが切替手段６２を通過した後、搬送方向を逆転させて、排紙ローラ６３によって機外の排紙トレイ６４へと排出する。一方、用紙の裏面に画像形成する場合は、切替手段６２を図１において実線で示す位置に位置させ、定着排出ローラ６１により搬送される用紙Ｓを、反転手段６５の方向に搬送し、反転手段６５によってスイッチバックを行わせることにより表裏反転を施し、再給紙手段６６へと搬送する。再給紙手段６６まで搬送された用紙Ｓは、後述するループ形成ローラ５５と後述する中間搬送ローラ５４１との間で搬送路に合流し、用紙収納手段４からの給紙と同様に、画像形成手段３へと搬送される。
【００２９】
次に、給紙装置５の構成及び動作について説明する。
【００３０】
用紙Ｓを収納する用紙収納手段としては、４個の給紙トレイ４Ａ、４Ｂ、４Ｃが設けられている。
【００３１】
各給紙トレイ４Ａ、４Ｂ、４Ｃに対応して、収納されている多数枚の用紙Ｓから１枚を分離して送り出すベルトローラユニット５１Ａ、５１Ｂ、５１Ｃ及びベルトローラユニット５１Ａ、５１Ｂ、５１Ｃにより送り出された用紙Ｓを搬送する搬送ローラ５３Ａ、５３Ｂ、５３Ｃが設けられる。
【００３２】
手差し給紙台４Ｄに対応して、送り出しローラ５２及び用紙Ｓを１枚に分離して搬送する分離搬送ローラ５３が設けられる。
【００３３】
用紙Ｓを転写位置に搬送する給紙搬送手段は、レジストローラ５６及びレジストローラ５６に用紙を搬送する中間搬送部で構成されている。
【００３４】
中間搬送部は、搬送ローラ５３Ａ、５３Ｂ、５３Ｃからの用紙Ｓを搬送する搬送ローラ５４１、５４２、５４３、５５で構成される。
【００３５】
３９はレジストローラ５６と転写部との間に設けられた転写前搬送ローラである。
【００３６】
画像形成においては、自動原稿送り装置１において原稿が１枚づつ送り出され、画像読取装置２により原稿の画像が読み取られる。
【００３７】
また、プラテンガラス２２上に載置されて原稿が画像読取装置２により読み取られる。
【００３８】
原稿読取により取得された画像データ又は外部から受信した画像データに基づいて、次のようにして用紙Ｓ上に画像が形成される。
【００３９】
帯電、露光及び現像により感光体ドラム３１上にトナー像が形成され、形成されたトナー像が転写器３５により用紙Ｓに転写される。
【００４０】
用紙Ｓは給紙トレイ４Ａ、４Ｂ又は４Ｃからベルトローラユニット５１Ａ、５１Ｂ又は５１Ｃにより１枚に分離され、レジストローラ５６へと搬送される。
【００４１】
用紙Ｓはレジストローラ５６により、感光体ドラム３１上での画像形成と同期して搬送され、転写器３５によりトナー像の転写を受ける。
【００４２】
トナー像が転写された用紙Ｓは定着装置３８により定着処理される。
【００４３】
定着処理された用紙Ｓは、切替手段６２によりストレート排紙、反転排紙又は裏面画像形成に応じて切替搬送される。
【００４４】
ストレート排紙においては、用紙Ｓは排紙ローラ６３を経て排紙トレイ６４に排出される。
【００４５】
反転排紙においては、用紙Ｓは定着器３８を通過後、下方に搬送され、スイッチバックして上昇し、排紙ローラ６３により排紙トレイ６４に排出される。
【００４６】
裏面画像形成においては、用紙Ｓは定着器３８を通過後、反転手段６５へと搬送され、反転手段６５により表裏反転された後に、転写器３５の位置へと再給紙される。
【００４７】
転写器３５により裏面画像のトナー像が転写され、定着される。
【００４８】
定着処理された用紙３は、排紙ローラ６３を経て排紙トレイ６４に排出される。
【００４９】
なお、前記に説明した実施の形態では、画像形成装置の転写器に用紙を搬送する部分が給紙装置であるが、給紙装置は積載された用紙から１枚ずつ用紙を送り出すものであればよく、大容量給紙装置のように、画像形成装置に着脱される給紙装置も本発明に係る給紙装置に含まれる。
＜給紙ユニット＞
次に、ベルトローラユニット５１Ａ、５１Ｂ又は５１Ｃを含む給紙ユニットについて、図２〜５を参照して説明する。
【００５０】
図２は用紙収納手段としての給紙トレイ及び給紙ユニットを有する給紙装置を示す図、図３は給紙状態を示す図、図４は給紙ユニットの平面図、図５は図４における矢印Ｚと反対方向から見た給紙ユニットの側面図である。
【００５１】
ベルトローラユニット５１Ａ、５１Ｂ、５１Ｃを含む前記給紙装置は同一の構造を有するので、以下の説明では、Ａ、ＢＣの符号を省略して説明する。
【００５２】
図２に示すように、用紙収納手段としての給紙トレイ４の給紙側先端部にベルトローラユニット５１を有する給紙ユニット１００が設けられる。
【００５３】
給紙ユニット１００は、以下に説明する各部品が一体に形成されたユニットとして形成される。
【００５４】
なお、給紙トレイ４は着脱のための案内手段としてのスライドレール４０、４１により引き出し可能に支持されており、画像形成装置の手前側に引き出し可能である。
【００５５】
ベルトローラユニット５１は図２に示すように給紙トレイ４の用紙送り出し方向の先端部に設けられ、図３に示すように、一対のローラ１０１、１０２及びローラ１０１、１０２に張架されたベルト１０３で構成され、用紙Ｓを矢印Ｘで示す方向に搬送する搬送手段である。
【００５６】
ベルト１０３の上下平行部間には、吸引口を有するダクト１０４が設けられる。
【００５７】
給紙時には、ベルト１０３の下辺が矢印Ｘのように移動するとともに、ダクト１０４の吸引口から矢印Ｙで示す空気の吸引が行われ、積載されている用紙Ｓから１枚の用紙Ｓ１が吸引されて、ベルト１０３に吸着され、矢印Ｘのように搬送される。
【００５８】
なお、分離を確実にするためには、用紙Ｓの先端に矢印Ｘの反対方向の空気を吹き付けることが好ましい。
【００５９】
図４は給紙ユニット１００の平面図である。
【００６０】
給紙ユニット１００は一体なユニットとして形成され、矢印Ｚで示すように、ユニットとして移動可能である。搬送ユニット１００は、また、搬送方向Ｘに直角な搬送幅方向Ｚに長く形成されたダクト１０４を有し、吸引口から吸引された空気を画像形成装置の奥側に配置されたファン１０５へとガイドする。
【００６１】
矢印Ｚは図１に示す画像形成装置の奥側から操作側である手前側に向かう方向であって、搬送方向Ｘに直角な方向であり、給紙ユニット１００が画像形成装置から引き出し可能に構成される。
【００６２】
ベルト１０３は用紙Ｓの搬送幅方向（搬送方向に直角な方向）に分割された３本のベルト１０３Ａ、１０３Ｂ、１０３Ｃで構成される。
【００６３】
ダクト１０４にはファン１０５が接続され、給紙時に作動して、用紙Ｓをベルト１０３に吸着させる。ファン１０５に画像形成装置の奥側に配置され、ファン１０５により吸引された空気は画像形成装置の背面から排出される。
【００６４】
１０６は給紙ユニット１００の引き出しのための取っ手、１０７は給紙ユニット１００のロックを解除して引き出し可能にするつまみである。
【００６５】
給紙ユニット１００はロック機構（図示せず）により本体にロックされており、つまみ１０７の操作により、ロックが解除されて給紙ユニット１００の引き出しが可能となる。
【００６６】
ベルト１０３Ａ、１０３Ｂ、１０３Ｃ、ダクト１０４及びファン１０５は取っ手１０６を操作して矢印Ｚのように引くことにより、一体に引き出される。
【００６７】
１０８は駆動軸、１０９はクラッチ、１１０はベルト駆動軸である。
【００６８】
モータ（図示せず）により駆動軸１０８が回転駆動され、クラッチ１０９を介してベルト駆動軸１１０が回転し、ベルト１０３Ａ、１０３Ｂ、１０３Ｃが周回する。
【００６９】
ベルトの周回と同時にファン１０５が作動する。
【００７０】
画像形成時には、駆動モータが作動した後に、クラッチ１０９が給紙信号に基き作動してベルト１０３Ａ、１０３Ｂ、１０３Ｃが作動するとともに、ファン１０５が作動して用紙Ｓが送り出される。
【００７１】
１１１は、コネクタ基板であり、ファン１０５、クラッチ１０９及びセンサ等の給紙ユニット内の電気部品を本体側の回路に接続し、給紙ユニット１００の着脱動作で、給紙ユニット１００内の電気部品は本体回路に対して接続と切り離しとが行われる。
【００７２】
１１２は給紙ユニット１００の着脱をガイドする案内手段としてのスライドレールである。
【００７３】
なお、図示されていないが、用紙Ｓがベルト１０３に吸着したことを検知するセンサが設けられる。
【００７４】
給紙ユニット１００は、ベルト１０３の交換、メンテナンスを含む給紙ユニット１００のメンテナンスのために、画像形成装置本体から引き出されるが、給紙ユニット１００の引き出しにより、ダクト１０４及びファン１０５が一体に引き出されるので、給紙装置の引き出しのために、ダクトやファンを給紙ユニット１００から切り離す操作がなくなり、給紙装置のメンテナンスがしやすくなって、メンテナンス時間が短縮される。
【００７５】
給紙ユニット１００の着脱時に、コネクタ基板１１１により、給紙ユニット１００内の電気部品、即ち、モータ、クラッチ１０９、センサ等が本体回路に対して着脱される。
【００７６】
給紙ユニット１００のメンテナンス時の操作手順としては、給紙トレイ４を画像形成装置本体から引き出し、その後に給紙ユニット１００を引き出すという手順になり、給紙ユニット１００は給紙トレイ４を引き出さなければ引き出せない。
【００７７】
なお、給紙ユニット１００の引き出し機構の他と例としては、給紙トレイ４と給紙ユニット１００とが一体で引き出される機構も可能である。
【００７８】
このような引き出し機構では、画像形成装置本体から給紙トレイ４及び給紙ユニット１００を引き出した後に、給紙ユニット１００を給紙トレイ４から切り離し、給紙ユニット１００のメンテナンスを行うという作業手順を経てメンテナンスが行われる。
【図面の簡単な説明】
【００７９】
【図１】本発明の実施の形態に係る画像形成装置の概略断面図である。
【図２】給紙装置を示す図である。
【図３】給紙状態を示す図である。
【図４】給紙ユニットの平面図である。
【図５】図４における矢印Ｚと反対の方向から見た給紙ユニットの側面図である。
【符号の説明】
【００８０】
５１、５１Ａ、５１Ｂ、５１Ｃ  ベルトローラユニット
１００  給紙ユニット
１０４  ダクト
１０５  ファン
１１１  コネクタ基板
【図１】
2009107731.tif 000003
【図２】
2009107731.tif 000004
【図３】
2009107731.tif 000005
【図４】
2009107731.tif 000006
【図５】
2009107731.tif 000007